(57)【要約】【課題】浴室のフロア端部を簡単且つ美麗に端仕舞でき、高さ調節が自在で、調節した高さを維持できる浴室フロア用調整パネルを提供する。【解決手段】切断自在な調整パネル本体１と、これに取付けられる高さ調節装置２とを備えた浴室フロア用調整パネルであって、高さ調節装置２は、パネル本体１裏面の格子状仕切り板１ｄで仕切られる凹空部１ｅに嵌着される基体２ａと、この基体の天板から下方へ突設され且つ下端部に雌ネジ２ｈを有する円筒状の脚筒部２ｂと、この雌ネジ２ｈに下方から螺入されたボルトよりなり且つそのボルト外周面に雄ネジが切除された平坦面２ｋを有する支持脚２ｃと、この平坦面２ｋに対応る平坦面２ｍを内周面に有し且つ上方から脚受部２ｂに挿入されて支持脚２ｃに被嵌された円筒状の脚キャップ２ｄと、この脚キャップ上端の多角形のフランジ部２ｅが嵌まり込む脚受部上端開口縁の座繰部２ｆとからなる構成とする。【選択図】  図５
2004211317.tif 000002
【特許請求の範囲】
【請求項１】
浴室の床面に敷設されたフロアパネルと浴室の側壁及び／又は浴槽との隙間にほぼ合致するように切断されて該隙間に置敷される合成樹脂製の調整パネル本体と、この調整パネル本体に取付けられる少なくとも二つの高さ調節装置とからなる浴室フロア用調整パネルであって、
上記調整パネル本体は、その裏面に格子状の仕切板が一体に形成されており、上記高さ調節装置は、上記調整パネル本体の仕切板によって仕切られた凹空部に下方から脱着自在に嵌着される基体と、この基体の天板から下方へ突設され且つ下端部に雌ネジを有する円筒状の脚受部と、この脚受部の雌ネジに下方から螺入されたボルトよりなり且つそのボルト外周面の一部に雄ネジが切除された平坦面を有する支持脚と、この支持脚の平坦面に対応する平坦面を内周面の一部に有し且つ上方から上記脚受部に挿入されて支持脚に被嵌された円筒状の脚キャップと、この脚キャップ上端の多角形のフランジ部が嵌まり込む上記脚受部の上端開口縁に形成された多角形の座繰部とからなることを特徴とする浴室フロア用調整パネル。
【請求項２】
前記調整パネル本体の天板に多数の通水孔が形成されている、請求項１に記載の浴室フロア用調整パネル。
【請求項３】
前記高さ調節装置の基体の側面に抜け防止リブが形成されている、請求項１に記載の浴室フロア用調整パネル。
【請求項４】
前記高さ調節装置の脚キャップの多角形のフランジ部に切欠部が形成されている、請求項１に記載の浴室フロア用調整パネル。
【発明の詳細な説明】
【０００１】
【発明の属する技術分野】
本発明は、浴室の床面に敷設されたフロアパネルと浴室の側壁及び／又は浴槽との隙間に敷設される高さ調整自在な浴室フロア用調整パネルに関する。
【０００２】
【従来の技術】
近年、浴室の入口と床面との段差をなくして老人等が安全に出入りできるようにするために、高さ調節の可能なフロア材を床面に敷設した二重床タイプの浴室フロアが普及してきた。このような二重床タイプの浴室フロアは、浴室の床寸法が異なると、敷設されたフロア材と浴室の側壁面との間、或は、フロア材と浴槽との間に隙間が生じるため、フロア材が横滑りしたり、該隙間から浴室の備品を床面に落とす等の不都合があった。
【０００３】
そこで、本出願人は、上記隙間をなくすため、脚のない巾調整材を上記隙間に配置してフロア材の端部に接続したり、外周面に雄ネジを有する高さ調節用の脚を下方からネジ孔にねじ込んで取付けた巾調整材を上記隙間に配置してフロア材の端部に接続するようにした浴室フロアの端仕舞構造を既に提案した（特許文献１）。
【０００４】
【特許文献１】
特開平１１−１３１７５５号公報（第１〜２頁、図１６、図１８）
【０００５】
【発明が解決しようとする課題】
しかしながら、脚のない巾調整材は、上方からの大きい荷重を受けた場合に強度が不足するという問題があった。
【０００６】
これに対し、高さ調節用の脚をネジ孔にねじ込んで取付けた巾調整材は、耐荷重強度が大きく、しかも、高さ調節用の脚を回すことによって巾調整材の上面をフロア材の上面と同じ高さに調節できるという利点を有する。けれども、高さ調節用の脚が固定されていないため、振動等によって高さ調節用の脚が少しずつ回転し、巾調整材の高さを最初に設定した高さに維持できないという問題があった。また、高さ調節用の脚を取付けた巾調整材は、脚をねじ込むネジ孔の位置が決まっているため、上記隙間の寸法に合わせて任意に切断できないという問題もあった。
【０００７】
本発明は、これらの問題を全て解決し得る浴室フロア用調整パネルを提供することを目的とする。
【０００８】
【課題を解決するための手段】
上記目的を達成するため、本発明の浴室フロア用調整パネルは、浴室の床面に敷設されたフロアパネルと浴室の側壁及び／又は浴槽との隙間（以下、フロア端部の隙間という）にほぼ合致するように切断されて該隙間に置敷される合成樹脂製の調整パネル本体と、この調整パネル本体に取付けられる少なくとも二つの高さ調節装置とからなる浴室フロア用調整パネルであって、
上記調整パネル本体は、その裏面に格子状の仕切板が一体に形成されており、上記高さ調節装置は、上記調整パネル本体の仕切板によって仕切られた凹空部に下方から脱着自在に嵌着される基体と、この基体の天板から下方へ突設され且つ下端部に雌ネジを有する円筒状の脚受部と、この脚受部の雌ネジに下方から螺入されたボルトよりなり且つそのボルト外周面の一部に雄ネジが切除された平坦面を有する支持脚と、この支持脚の平坦面に対応する平坦面を内周面の一部に有し且つ上方から上記脚受部に挿入されて支持脚に被嵌された円筒状の脚キャップと、この脚キャップ上端の多角形のフランジ部が嵌まり込む上記脚受部の上端開口縁に形成された多角形の座繰部とからなることを特徴とするものである。
【０００９】
このような浴室フロア用調整パネルは、その調整パネル本体をフロア端部の隙間にほぼ合致するように切断し、この切断された調整パネル本体に取付けられる少なくとも二つの高さ調節装置によって、次の要領で高さ調節と支持脚の固定を行ってから、フロア端部の隙間に置敷される。
【００１０】
即ち、高さ調節装置を取付ける前に、それぞれの高さ調節装置の脚キャップを脚受部から抜き取って支持脚を回転し、高さ調節装置を取付けたときの調整パネル本体の上面がフロアパネルの上面と同じ高さになるように、それぞれの高さ調節装置の全高（支持脚の下端から基体の上端までの高さ）を調節する。そして、それぞれの高さ調節装置の脚キャップを脚受部に挿入して支持脚に被嵌すると共に、脚キャップ上端の多角形のフランジ部を脚受部の上端開口縁の多角形の座繰部に嵌め込む。このようにすると、脚キャップの内周面に形成された平坦面と支持脚のボルト外周面に形成された平坦面とが当接して脚キャップと支持脚の相対的な回転が阻止されると同時に、座繰部に嵌まり込んだ脚キャップ上端の多角形のフランジ部によって脚キャップと脚受部の相対的な回転が阻止されるため、支持脚が脚受部に対して回転不能に固定される。かくして支持脚が固定された高さ調節装置は、その基体を調整パネル本体の裏面の仕切板で仕切られた少なくとも二つの凹空部に下方から脱着自在に嵌着することによって調整パネル本体に取付けられ、これがフロア端部の隙間に置敷される。
【００１１】
上記のように、本発明の浴室フロア用調整パネルは、高さ調節装置の支持脚を回転させることによって高さ調節を行うことができ、しかも、支持脚を回転不能に固定して、調節した高さを維持することができる。また、本発明の浴室フロア用調整パネルのように、調整パネル本体の裏面の仕切板で仕切られた何れの凹空部に対しても高さ調節装置を嵌着できるように構成されていると、調整パネル本体を切断しても高さ調節装置を取付けることができるため、上記のようにフロア端部の隙間にほぼ合致するように調整パネル本体を切断して置敷することができる。
【００１２】
本発明の浴室フロア用調整パネルにおいては、その調整パネル本体の天板に多数の通水孔を形成することが望ましい。このような調整パネルを、フロア端部の隙間、特に、フロアパネルと浴室の入口下端の側壁との隙間に置敷すると、湯水が調整パネル本体の通水孔から床面に流れ落ちて排水されるため、浴室の入口から湯水が室外に溢れるのを防止することができる。また、このような調整パネルを、フロア端部の隙間、特に、フロアパネルと浴槽との間の排水口がある隙間に置敷すると、パネル上の湯水の大部分が調整パネル本体の通水孔から排水口へ流れ落ちるため、良好な掃流性を確保することができる。
【００１３】
また、本発明の浴室フロア用調整パネルにおいては、その高さ調節装置の基体の側面に抜け防止リブを形成することが好ましく、このようにすると、高さ調節装置の脱落を防止できるので、取扱いが容易になる。
【００１４】
更に、本発明の浴室フロア用調整パネルにおいては、高さ調節装置の脚キャップの多角形のフランジ部に切欠部を形成することが好ましく、このようにすると、支持脚を回転させて高さ調節を行う際に、フランジ部の切欠部に指先又はドライバーの先端を入れて簡単に脚キャップを抜き取ることができる。
【００１５】
【発明の実施の形態】
以下、図面を参照して本発明の具体的な実施形態を詳述する。
【００１６】
図１は本発明の一実施形態に係る浴室フロア用調整パネルの概略斜視図、図２は図１の円で囲んだ部分の拡大図、図３は同浴室フロア用調整パネルの調整パネル本体の概略断面図、図４は同調整パネル本体の概略底面図、図５は同浴室フロア用調整パネルの高さ調節装置を取付けた部分の断面図、図６は図５のＡ−Ａ線断面図、図７は同高さ調節装置の分解斜視図、図８は同浴室フロア用調整パネルを用いた浴室フロアの一施工例を示す平面図である。
【００１７】
この浴室フロア用調整パネルＰは、図１に示すように、フロア端部の隙間に合わせて切断される調整パネル本体１と、この調整パネル本体１の裏面側に脱着自在に取付けられる少なくとも二つの高さ調節装置２とで構成されている。
【００１８】
調整パネル本体１は、ポリプロピレンその他の合成樹脂で射出成形されたものであって、その一辺の長さが後述のフロアパネルＰ1 （図８、図９を参照）の一辺の長さに等しい正方形の平面形状を有しており、具体的には一辺の長さが４５ｃｍ程度の正方形パネルとされている。
【００１９】
この調整パネル本体１の天板は、図２に示すように、互いに平行な多数の桟部１ａの間に多数の連結部１ｂを千鳥状に配置して一体に形成した構造を有しており、これらの桟部１ａと連結部１ｂとで囲まれる多数の方形空間部が通水孔１ｃとなっている。従って、この調整パネル本体１は排水性が極めて良好であり、鋸を桟部１ａに沿わせてまっすぐに切断することが可能である。
【００２０】
この調整パネル本体１の裏面には、図３，図４に示すように、格子状の仕切板１ｄが一体に形成されており、この仕切り板１ｄによって仕切られた何れの凹空部１ｅに対しても、高さ調節装置２を嵌着して取付けることができるようになっている。この実施形態の調整パネル本体１は、格子状の仕切板１ｄによって同じ大きさの正方形の凹空部１ｅを９×９個形成しているが、凹空部１ｅの個数はもちろん増減可能であり、凹空部１ｅの個数を増加させると高さ調節装置２の取付位置を更に細かく選択できる利点がある。また、格子状の仕切板１ｄが裏面に形成されていると、調整パネル本体１の強度が大幅に向上する利点もある。
【００２１】
この調整パネル本体１に取付けられる前記の高さ調節装置２は、図５〜図７に示すように、基体２ａと、この基体２ａの天板から下方へ突設された脚受部２ｂと、ボルトよりなる支持脚２ｃと、この支持脚２ｂに被嵌される脚キャップ２ｄと、この脚キャップ上端のフランジ部２ｅが嵌まり込む上記脚受部の上端開口縁の座繰部２ｆ等からなるものである。
【００２２】
上記の基体２ａは、調整パネル本体１と同様のポリプロピレン等の合成樹脂で射出成形されたものであって、調整パネル本体１の格子状仕切板１ｄで仕切られた凹空部１ｅに脱着自在に嵌着できるように、該凹空部１ｅに対応合致した正方形の平面形状を有する無底の箱形に形成されている。そして、この基体２ａの四側面には、小さな抜け防止リブ２ｇが２本ずつ形成されている。それゆえ、この基体２ａを調整パネル本体１の凹空部１ｅに嵌着すると、抜け防止リブ２ｇが仕切板１ｄに圧接して基体２ａが簡単に脱落しないようになっている。
【００２３】
この基体２ａには、天板から下方に向かって円筒状の脚受部２ｂが突設されており、この脚受部２ｂの下端部には、図示のようにナット２ｈを埋め込むことによって雌ネジが形成されている。そして、この脚受部２ｂの下端部から基体２ａの四隅に至るブラケット２ｉが一体形成されており、このブラケット２ｉによって脚受部２ｂが折れないように四方から補強されている。
【００２４】
上記の支持脚２ｃは、脚受部２ｂの雌ネジ（ナット２ｈ）に下方から螺入されるステンレス等の金属製のボルトからなるもので、その下端には合成ゴム製の脚座２ｊが取付けられており、また、ボルト外周面には雄ネジを切除した平坦面２ｋ，２ｋが相対向して二箇所に形成されている。この平坦面２ｋは、支持脚２ｃと脚キャップ２ｄとの相対的な回動を阻止するものであるから、支持脚２ｃのボルト外周面に少なくとも一箇所形成されていればよい。
【００２５】
上記の脚キャップ２ｄは、ポリプロピレン等の合成樹脂で円筒形状に射出成形されており、その内周面には、上記支持脚２ｃの平坦面２ｋ，２ｋに対応する平坦面２ｍ，２ｍが相対向して二箇所に形成されている。そして、この脚キャップ２ｄの上端には六角形のフランジ部２ｅが形成されており、該フランジ部２ｅには、脚キャップ２ｄの抜き取りを容易にするための二つの切欠部２ｎ，２ｎ（図７を参照）が形成されている。脚キャップ２ｄの平坦面２ｍは、支持脚２ｃの平坦面２ｋに対応して少なくとも一箇所に形成されていればよく、切欠部２ｎも少なくとも一箇所に形成されていれば足る。また、脚キャップ２ｄの頭部２ｅの形状は、六角形に限定されるものではなく、三角形以上の多角形であればよい。そして、十字形や星形などでもよく、このような十字形や星形のフランジ部も本発明に言う「多角形のフランジ部」に含まれる。
【００２６】
脚受部２ｂの上端開口縁に形成された上記の座繰部２ｆは、脚キャップ２ｄの六角形のフランジ部２ｅに対応して六角形に形成されており、この座繰部２ｅにフランジ部２ｅが嵌まり込むと、脚受部２ｂと脚キャップ２ｄの相対的な回動が阻止されるようになっている。なお、座繰部２ｆの形状は六角形に限定されるものではなく、フランジ部２ｅの形状に対応した多角形に形成すればよい。
【００２７】
この高さ調節手段２は、上記基体２ａの脚受部２ｂの雌ネジ（埋込みナット２ｈ）に上記支持脚２ｃのボルトを下方から螺入して脚受部２ｂに遊挿し、上記脚キャップ２ｄを上方から脚受部２ｂに挿入して支持脚２ｃのボルトに被嵌すると共に、脚キャップ２ｄのフランジ部２ｅを上記座繰部２ｆに嵌め込んで構成されたものである。従って、脚キャップ２ｄを抜き取って支持脚２ｃを回すと、高さ調節装置２の全高（支持脚２ｃの下端から基体１の上端までの高さ）を調節することができる。そして、調節後、図５、図６に示すように脚キャップ２ｄを上方から脚受部２ｂに挿入して支持脚２ｃのボルトに被嵌すると共に、脚キャップ２ｄの六角形のフランジ部２ｅを六角形の座繰部２ｆに嵌め込むと、支持脚２ｃのボルト外周面に形成された平坦面２ｋ，２ｋと脚キャップ２ｄの内周面に形成された平坦面２ｍ，２ｍとが当接して支持脚２ｃと脚キャップ２ｄの相対的な回転が阻止されると同時に、座繰部２ｆに嵌まり込んだ脚キャップ２ｄのフランジ部２ｅによって脚キャップ２ｄと脚受部２ｂの相対的な回転が阻止されるため、支持脚２ｃが脚受部２ｂに回転不能に固定されて、調節した高さを維持することができる。
【００２８】
尚、脚キャップ２ｄを抜き取る作業は、フランジ部２ｅの切欠部２ｎ，２ｎに指先やドライバーの先端を入れてフランジ部２ｅを持上げることにより、容易に行うことができる。
【００２９】
次に、この浴室フロア用調整パネルＰの使用方法を説明する。まず、調整パネル本体１を浴室のフロア端部の隙間にほぼ合致するように切断する。そして、この切断された調整パネル本体１に高さ調節装置２を取付けたときの該パネル上面の高さが、浴室の床面に敷設されたフロアパネルＰ1 （図８，図９参照）の上面の高さと同一になるように、高さ調節装置２を取付ける前に、前述した要領で高さ調節装置２の全高を調節して支持脚２ｃを回転不能に固定する。次いで、この高さ調節装置２の基体２ａを、切断された調整パネル本体１の裏面の四隅に位置する前記凹空部１ｅに下方から嵌着することによって、調整パネル本体１の四隅に高さ調節装置２を脱着自在に取付け、これを浴室のフロア端部の隙間に置敷して浴室フロアの端仕舞をする。
【００３０】
このように浴室フロア用調整パネルＰを置敷すると、調整パネル本体１の上面がフロアパネルＰ1 の上面と同じ高さに揃うため、足を引掛ける心配がなく、しかも、調整パネル本体１が四隅の高さ調節装置２によって安定良くしっかりと支持されるため、上方から大きい荷重が調整パネル本体１に作用しても、押し潰されたり倒れたりする心配はない。
【００３１】
尚、高さ調節装置２の取付箇所及び取付個数は、上記のように調整パネル本体１の四隅及び四つに限定されるものではなく、安定良く調整パネル本体１を支持できる箇所の凹空部１ｅを選択して高さ調節装置２を二つ以上取付けるようにすればよい。例えば、フロア端部の隙間が細長い矩形状であるような場合には、矩形状に切断した調整パネル本体１の両端近くの２箇所の凹空部１ｅに高さ調節装置２を二つ取付ければ充分であり、このように高さ調節装置２が二つでも、矩形状に切断された調整パネル本体１がフロアパネルと壁面の間に挟まれて横倒れする心配がないため、安定良く置敷することができる。
【００３２】
次に、図８を参照して、上記の浴室フロア用調整パネルを用いた浴室フロアの一施工例を説明する。
【００３３】
この施工例では、浴室３の床面に正方形のフロアパネルＰ1 が縦横に並べられて敷設されている。そして、フロア端部の隙間、即ち、フロアパネルＰ1 と浴室の入口下端の側壁３ａとの隙間、及び、フロアパネルＰ1 と浴槽３ｂとの隙間の一部（排水口３ｃがある部分）には、これらの隙間にほぼ合致するように調整パネル本体を長方形に切断して四隅に高さ調整装置を取付けた本発明の浴室フロア用調整パネルＰが置敷されている。尚、フロア端部のコーナー部分の隙間に置敷された本発明の浴室フロア用調整パネルＰは、そのコーナー部分の隙間にほぼ合致するように調整パネル本体を小さな正方形に切断して四隅に高さ調整装置を取付けたものである。また、フロアパネルＰ1 と浴槽３ｂとの隙間には、長方形のフロアパネルＰ2 も敷設されている。
【００３４】
このように施工すると、フロアパネルＰ1 と浴室の入口下端の側壁３ａとの隙間に置敷された浴室フロア用調整パネルＰの通水孔から湯水が床面に流れ落ちるため、浴室の入口から湯水が室外に溢れるのを防止することができる。また、フロアパネルＰ1 ，Ｐ2 の表面の湯水の大部分は、フロアパネルＰ1 と浴槽３ｂとの間の排水口３ｃがある隙間に置敷された浴室フロア用調整パネルＰの通水孔から排水口３ｃへ流れ落ちるため、良好な掃流性を確保することもできる。
【００３５】
上記の施工例において使用されるフロアパネルＰ1 は、図９に示すように、一辺の長さが４５ｃｍ程度の正方形のパネル本体４の四隅に高さ調節手段５を設けたものであって、パネル本体４の四側面には多数の凹部４ａが形成されており、パネル本体４の上面は、その中心点Ｏを頂点する高さが１ｃｍ以下の偏平な四角錐形状とされている。従って、このフロアパネルＰ1 は、矢符で示すように湯水がパネル本体４の偏平な四角錐形状の上面を四方へ流下して凹部４ａから流れ落ちるため、表面に湯水が溜まることはない。
【００３６】
このフロアパネルＰ1 の四隅の高さ調節手段５は、前述した高さ調節装置２と原理的には同様のものであるが、脱着不可能である点で相違する。即ち、この高さ調節手段５は、図１０に示すように、パネル本体４の天板から下方へ突設され且つ下端部に雌ネジ（埋込みナット５ｆ）を有する円筒状の脚受部５ａと、この脚受部５ａの雌ネジに下方から螺入されたボルトよりなり且つそのボルト外周面の相対向する部位に雄ネジが切除された平坦面５ｇ，５ｇを有する支持脚５ｂと、この平坦面５ｇ，５ｇに対応する平坦面５ｈ，５ｈを内周面の相対向する部位に有し且つ上方から脚受部５ａに挿入されて支持脚５ｂに被嵌された円筒状の脚キャップ５ｃと、この脚キャップ上端の多角形の頭部５ｄが嵌まり込む上記脚受部の上端開口縁に形成された多角形の座繰部５ｅなどで構成されている。従って、脚キャップ５ｃを引き抜き、上方からドライバー等の回転治具（不図示）を支持脚５ｂ上端の係合凹溝５ｉに係合させて支持脚５ｂを回転させると、パネル本体４を所望の高さに調節することができ、調節後、脚キャップ５ｃを上方から脚受部５ａに挿入して支持脚５ｂに被嵌すると共に脚キャップ５ｃ上端の多角形の頭部５ｄを座繰部５ｅに嵌め込むと、支持脚５ｂが回転不能に固定されて、調節した高さを維持することができる。
【００３７】
尚、フロアパネルＰ2 は、パネル本体を長方形とした点が異なるのみで、その他の構成はフロアパネルＰ1 と同じである。
【００３８】
【発明の効果】
以上の説明から明らかなように、本発明の浴室フロア用調整パネルは、浴室のフロア端部の隙間にほぼ合致するように調整パネル本体を切断し、その裏面の格子状仕切壁で囲まれる凹空部に高さ調節装置を脱着自在に取付けてフロア端部の隙間に置敷できるため、フロア端部の端仕舞を簡単且つ美麗に行うことができ、しかも、高さ調節が自在でフロアパネルとの間に段差を生じることがないため、足を引掛ける危険性がなく、また、高さ調節装置の支持脚を回転不能に固定できるため、最初に調節した高さを維持することができ、調整パネル本体の通水孔から湯水が流れ落ちるので、浴室の入口下端のフロア端部の隙間や排水口があるフロア端部の隙間に置敷すると、入口から湯水が溢れるのを防止できると共に良好な掃流性を確保することができる、といった多くの顕著な効果を奏する。
【図面の簡単な説明】
【図１】本発明の一実施形態に係る浴室フロア用調整パネルの概略斜視図である。
【図２】図１の円で囲んだ部分の拡大図である。
【図３】同浴室フロア用調整パネルの調整パネル本体の概略断面図である。
【図４】同調整パネル本体の概略底面図である。
【図５】同浴室フロア用調整パネルの高さ調節装置を取付けた部分の断面図である。
【図６】図５のＡ−Ａ線断面図である。
【図７】同高さ調節装置の分解斜視図である。
【図８】同浴室フロア用調整パネルを用いた浴室フロアの一施工例を示す平面図である。
【図９】同施工例に用いるフロアパネルの斜視図である。
【図１０】同フロアパネルの高さ調節手段を設けた部分の断面図である。
【符号の説明】
１  調整パネル本体
１ｄ  格子状の仕切板
１ｅ  凹空部
２  高さ調節装置
２ａ  基体
２ｂ  脚受部
２ｃ  支持脚
２ｄ  脚キャップ
２ｅ  脚キャップのフランジ部
２ｆ  座繰部
２ｇ  抜け防止リブ
２ｈ  ナット（雌ねじ）
２ｋ  平坦面
２ｍ  平坦面
２ｎ  切欠部
３  浴室
３ａ  浴室の入口下端の側壁
３ｂ  浴槽
３ｃ  排水口
Ｐ  浴室フロア用調整パネル
Ｐ1 ，Ｐ2   フロアパネル
【図１】
2004211317.tif 000003
【図２】
2004211317.tif 000004
【図３】
2004211317.tif 000005
【図４】
2004211317.tif 000006
【図５】
2004211317.tif 000007
【図６】
2004211317.tif 000008
【図７】
2004211317.tif 000009
【図８】
2004211317.tif 000010
【図９】
2004211317.tif 000011
【図１０】
2004211317.tif 000012